(57)【要約】【課題】  現場の施工業者が誤って内部電線の接続を変更することを抑制し、誤配線の不具合を低減させることができる端子台およびこの端子台を備えた電気機器収納箱を提供する。【解決手段】  電気機器が収納された電気機器収納箱内に配置される端子台Ａであって、電気機器からの内部電線Ｌ１を接続する端子金具２を具備する内部側接続部Ｘ１と、電気機器収納箱の外部からの外部電線Ｌ２を接続する端子金具２を具備して内部側接続部Ｘ１と電気的に接続する外部側接続部Ｘ２と、絶縁性材料からなり、内部側接続部Ｘ１および外部側接続部Ｘ２が一面に設けられる端子台本体１と、端子台本体１の一面において、内部側接続部Ｘ１を隠蔽する端子カバー４とを備える。【選択図】図１
2011233361.tif 000002
【特許請求の範囲】
【請求項１】
電気機器が収納された電気機器収納箱内に配置される端子台であって、
前記電気機器からの電線を接続する内部側接続部と、
前記電気機器収納箱の外部からの電線を接続する外部側接続部と、
前記内部側接続部と前記外部側接続部との間を電気的に接続する導電部と、
絶縁性材料からなり、前記内部側接続部および前記外部側接続部が一面に設けられる端子台本体と、
前記端子台本体の一面において、前記内部側接続部を隠蔽する端子カバーと、
を備えることを特徴とする端子台。
【請求項２】
前記内部側接続部と前記外部側接続部とは前記端子台本体の一面において一方向に沿って並んで配設され、
前記端子台本体は、前記内部側接続部と前記外部側接続部との間に立設された仕切壁部と、前記内部側接続部の各々を挟んで両側に立設された第１の隔壁部と、前記外部側接続部の各々を挟んで両側に立設された第２の隔壁部とを備え、
前記第１、第２の隔壁部の少なくとも一方は、前記一方向において互いに対向する面に切欠部が形成され、
前記端子カバーは、前記切欠部に係止する係止部を具備して、前記第１の隔壁部上に配置される
ことを特徴とする請求項１記載の端子台。
【請求項３】
前記端子カバーは、折り目が形成され、当該折り目に沿って開閉することで、前記内部側接続部を隠蔽する状態と、前記内部側接続部が露出する状態とが切り替えられることを特徴とする請求項１または２記載の端子台。
【請求項４】
前記端子カバーは、前記内部側接続部とともに前記仕切壁部を隠蔽し、前記端子カバーと前記仕切壁部との間に空間を設けることを特徴とする請求項１乃至３いずれか記載の端子台。
【請求項５】
電気機器と、
前記電気機器からの電線を接続する内部側接続部、外部からの電線を接続する外部側接続部、前記内部側接続部と前記外部側接続部との間を電気的に接続する導電部、絶縁性材料からなり、前記内部側接続部および前記外部側接続部が一面に設けられる端子台本体、前記端子台本体の一面において、前記内部側接続部を隠蔽する端子カバーを備える端子台と
を収納することを特徴とする電気機器収納箱。
【発明の詳細な説明】
【技術分野】
【０００１】
本発明は、施工時に配線作業が行われる端子台およびこの端子台を備えた電気機器収納箱に関するものである。
【背景技術】
【０００２】
従来、分電盤、制御盤等の電気機器収納箱には、内部に収納した電気機器からの電線（内部電線）と、外部からの電線（外部電線）とを中継する端子台が備えられている（例えば、特許文献１参照）。このような端子台では、電気機器収納箱の製造業者が、電気機器収納箱内の電気機器からの内部電線を接続する。一方、外部電線の接続は、電気機器収納箱を現場に設置した後に、現場の施工業者が行う。
【先行技術文献】
【特許文献】
【０００３】
【特許文献１】特開２００５−６９６３８号公報
【発明の概要】
【発明が解決しようとする課題】
【０００４】
上記のように内部電線と外部電線が接続される端子台は、内部電線を接続した状態で出荷され、現場では外部電線の接続のみを行う。しかし、現場の施工業者が、電気機器収納箱内に外部電線を接続する際に、接続箇所がわからず、誤って内部電線の接続を変更する虞があり、誤配線の不具合が発生しやすいという課題があった。
【０００５】
本発明は、上記事由に鑑みてなされたものであり、その目的は、現場の施工業者が誤って内部電線の接続を変更することを抑制し、誤配線の不具合を低減させることができる端子台およびこの端子台を備えた電気機器収納箱を提供することにある。
【課題を解決するための手段】
【０００６】
本発明の端子台は、電気機器が収納された電気機器収納箱内に配置される端子台であって、前記電気機器からの電線を接続する内部側接続部と、前記電気機器収納箱の外部からの電線を接続する外部側接続部と、前記内部側接続部と前記外部側接続部との間を電気的に接続する導電部と、絶縁性材料からなり、前記内部側接続部および前記外部側接続部が一面に設けられる端子台本体と、前記端子台本体の一面において、前記内部側接続部を隠蔽する端子カバーとを備えることを特徴とする。
【０００７】
この発明において、前記内部側接続部と前記外部側接続部とは前記端子台本体の一面において一方向に沿って並んで配設され、前記端子台本体は、前記内部側接続部と前記外部側接続部との間に立設された仕切壁部と、前記内部側接続部の各々を挟んで両側に立設された第１の隔壁部と、前記外部側接続部の各々を挟んで両側に立設された第２の隔壁部とを備え、前記第１、第２の隔壁部の少なくとも一方は、前記一方向において互いに対向する面に切欠部が形成され、前記端子カバーは、前記切欠部に係止する係止部を具備して、前記第１の隔壁部上に配置されることが望ましい。
【０００８】
この発明において、前記端子カバーは、折り目が形成され、当該折り目に沿って開閉することで、前記内部側接続部を隠蔽する状態と、前記内部側接続部が露出する状態とが切り替えられることが望ましい。
【０００９】
この発明において、前記端子カバーは、前記内部側接続部とともに前記仕切壁部を隠蔽し、前記端子カバーと前記仕切壁部との間に空間を設けることが望ましい。
【００１０】
本発明の電気機器収納箱は、電気機器と、前記電気機器からの電線を接続する内部側接続部、外部からの電線を接続する外部側接続部、前記内部側接続部と前記外部側接続部との間を電気的に接続する導電部、絶縁性材料からなり、前記内部側接続部および前記外部側接続部が一面に設けられる端子台本体、前記端子台本体の一面において、前記内部側接続部を隠蔽する端子カバーを備える端子台とを収納することを特徴とする。
【発明の効果】
【００１１】
以上説明したように、本発明では、現場の施工業者が誤って内部電線の接続を変更することを抑制し、誤配線の不具合を低減させることができるという効果がある。
【図面の簡単な説明】
【００１２】
【図１】（ａ）（ｂ）（ｃ）端子台の構成を示す平面図である。
【図２】同上の構成を示す斜視図である。
【図３】同上の構成を示す一部分解斜視図である。
【図４】同上の端子台本体の構成を示す上面図である。
【図５】同上の端子カバーの構成を示す斜視図である。
【図６】同上の端子台本体と端子カバーとを示す一部の断面図である。
【図７】同上の別の構成を示す一部分解斜視図である。
【図８】同上の端子台を備えた電気機器収納箱の構成を示す平面図である。
【発明を実施するための形態】
【００１３】
以下、本発明の実施の形態を図面に基づいて説明する。
【００１４】
（実施形態）
図１〜図３は、本発明の端子台Ａの全体構成を示す。端子台Ａは、電気機器が収納された電気機器収納箱内に配置され、電気機器からの電線Ｌ１（内部電線Ｌ１）と、電気機器収納箱の外部からの電線Ｌ２（外部電線Ｌ２）とを中継するために使用される。そして、絶縁性の端子台本体１と、端子金具２と、端子ねじ３と、端子カバー４とで構成される。
【００１５】
端子台本体１は、絶縁材の合成樹脂成形品であり、基台１０の両側方向の側部には取り付け部材１１が各々設けられる。一対の取り付け部材１１間の基台１０の一面には、両端方向（両側方向の直交方向）を略２等分する仕切壁部１２が立設され、さらに仕切壁部１２によって略２等分された各領域において、基台１０の両側方向を略３等分する隔壁部１３（１３Ａ，１３Ｂ）が立設されている。なお、一方の取り付け部材１１にのみ隔壁部１３が隣接して設けられる。基台１０の一面には、仕切壁部１２と隔壁部１３とによって分割された６つの台座部１４が形成され、各台座部１４には、端子ねじ３や端子金具２の導通部材が上下方向に挿通する挿通孔１５（図４参照）が形成されている。
【００１６】
取り付け部材１１は、基台１０の両側面に形成した側壁部１１ａと、側壁部１１ａの下端から両側方向へ各々延設された固定片１１ｂとで構成される。固定片１１ｂは、両端方向の略中央にＵ字状の切り欠き部１１ｃを形成し、この切り欠き部１１ｃを図示しない取付ねじが挿通することで、端子台Ａが電気機器収納箱内に固定される。
【００１７】
そして、６つの台座部１４の各々には、端子金具２の端子板が載置される。端子金具２は、導電性の金属で形成され、端子板には挿通孔１５に対向する図示しないねじ孔が形成される。電線は、端子金具２のねじ孔に端子ねじ３を締め込むことで端子金具２に接続される。仕切壁部１２を挟んで両端方向に対向する一対の台座部１４に載置された各端子金具２は、端子金具２の端子板から下方に延設されて挿通孔１５を挿通する図示しない導電部材（導電部）を介して、基台１０内で電気的に互いに接続されている。すなわち、仕切壁部１２を挟んで両端方向に沿って配置された一対の端子金具２は互いに導通している。
【００１８】
このように構成された端子台Ａでは、基台１０の一端側に設けた３つの端子金具２および端子ねじ３とで、電気機器収納箱内に配置された電気機器からの内部電線Ｌ１を接続する内部側接続部Ｘ１を構成する。さらに、基台１０の他端側に設けた３つの端子金具２および端子ねじ３とで、外部からの外部電線Ｌ２を接続する外部側接続部Ｘ２を構成する。したがって、端子台Ａは、内部側接続部Ｘ１に接続された内部電線Ｌ１と外部側接続部Ｘ２に接続された外部電線Ｌ２とを中継している。
【００１９】
なお、以降の説明では、内部側接続部Ｘ１側の隔壁部１３を隔壁部１３Ａ（第１の隔壁部）、外部側接続部Ｘ２側の隔壁部１３を隔壁部１３Ｂ（第２の隔壁部）と称す。
【００２０】
そして本実施形態では、内部電線Ｌ１が接続される内部側接続部Ｘ１を隠蔽する端子カバー４を備えている。端子カバー４は、絶縁性材料で矩形板状に形成され、側壁部１１ａ間で、内部側接続部Ｘ１の隔壁部１３Ａ上に取り付けられる。隔壁部１３Ａの上面は、仕切壁部１２の上面より突出しており、当該隔壁部１３Ａの突出箇所において、その仕切壁部１２側の端面に略コの字状の切欠部１３ａが形成されている（図３参照）。一方、端子カバー４は、切欠部１３ａに対向する箇所近傍に、内部側接続部Ｘ１側を開放した略コの字状の切れ目を形成することで、上下方向に開閉可能なヒンジ片４ａを形成している。そして、ヒンジ片４ａを下方に撓ませ、ヒンジ片４ａの先端縁を内部側接続部Ｘ１側の隔壁部１３Ａに形成した切欠部１３ａに係止させる。
【００２１】
さらに、隔壁部１３Ａの上面では、内部電線Ｌ１の入線方向側の端部に突部１３ｃが形成されており、端子カバー４の両端方向の位置ずれを規制している。
【００２２】
また、隔壁部１３Ｂの上面は、仕切壁部１２の上面より突出しており、当該隔壁部１３Ｂの突出箇所において、その仕切壁部１２側の端面に略コの字状の切欠部１３ｂが形成されている（図３参照）。一方、端子カバー４の他端側には、両側方向に沿って形成された折り目４ｂによって、可動片４ｃが設けられており、可動片４ｃは折り目４ｂを支点として上下方向に開閉可能に構成されている。そして、可動片４ｃを下方に撓ませ、外部側接続部Ｘ２側の隔壁部１３Ｂに形成した切欠部１３ｂに係止させる。
【００２３】
このように、隔壁部１３Ａ，１３Ｂの各端面に設けた切欠部１３ａ，１３ｂに端子カバー４を係止させることによって、端子カバー４は、隔壁部１３Ａ上に取り付けられる。また、この端子カバー４は、端子台本体１から意図して取り外すことが可能であり、端子台本体１に対して着脱可能に構成されている。なお、切欠部１３ａ，１３ｂはいずれか一方のみを設ける構成でもよい。
【００２４】
すなわち、端子カバー４は、内部側接続部Ｘ１を上方向から隠蔽しており、内部側接続部Ｘ１の端子ねじ３を回すことは困難となる。また、端子カバー４によって、電気機器収納箱の製造業者と現場の施工業者との責任区分が明確になる。したがって、本実施形態の端子台Ａは、電気機器収納箱内で内部側接続部Ｘ１に内部電線Ｌ１を接続した状態で出荷された場合に、現場の施工業者が、誤って内部側接続部Ｘ１の配線を変更することを抑制でき、誤配線の不具合を低減することができる。さらに、端子カバー４に、対応する端子毎の端子名称を印字することによって、誤配線をより低減させることが可能となる。
【００２５】
また端子カバー４は、内部側接続部Ｘ１と仕切壁部１２との境界付近に、両側方向に沿った折り目４ｄが形成されており、図５に示すように、折り目４ｄによって、端子カバー４の一端側には可動片４ｅが設けられている。そして、可動片４ｅは折り目４ｄを支点として上下方向に開閉可能に構成されている。したがって、可動片４ｅを上方向に回動させれば、内部側接続部Ｘ１が上方に露出するので、電気機器収納箱の製造業者は、端子カバー４を端子台本体１に取り付けた状態で、内部側接続部Ｘ１側の配線を行うことができ作業性が向上する。さらに、端子カバー４に、対応する端子毎の端子名称を印字しておくことで、誤配線を低減させることが可能となる。
【００２６】
また図６に示すように、隔壁部１３Ａ，１３Ｂの上面が仕切壁部１２の上面より突出しているので、端子カバー４の下面と仕切壁部１２との上端との間には隙間空間Ｋが形成されている。したがって図７に示すように、この隙間空間Ｋに温度ヒューズや温度センサ等の温度検出素子Ｓを配置できるので、端子台Ａを大型化することなく、端子台Ａの焼損防止用の温度検出素子Ｓを容易に組み込むことができる。なお、隙間空間Ｋに組み込む素子は、焼損防止用の温度検出素子に限定されるものではない。
【００２７】
図８は、本実施形態の端子台Ａを収納した電気機器収納箱Ｂの構成を示す。
【００２８】
電気機器収納箱Ｂは、一面を開口した矩形函状に形成されたケース本体１００ａと、ケース本体１００ａの開口に覆設するカバー１００ｂとで筐体を構成している。ケース本体１００ａ内には、ＤＣ／ＤＣコンバータおよびＡＣ／ＤＣコンバータの各回路基板を備える電力変換部１０１、バッテリーを備えるバックアップ電源部１０２、電力変換部１０１の動作を制御するコントローラ部１０３が配置されている。カバー１００ｂには、コントローラ部１０３の操作部１０３ａに対向する箇所に開口１００ｃが設けられており、開口１００ｃから操作部１０３ａが外部に露出する。
【００２９】
図８に示す上下左右方向において、電力変換部１０１は、ケース本体１００ａ内の略中央の上方に配置され、バックアップ電源部１０２、コントローラ部１０３は、ケース本体１００ａ内の左右両端方向に偏倚して各々配置される。
【００３０】
そして、ケース本体１００ａ内の下方には、上記説明した端子台Ａを用いた入力端子Ａ１，Ａ２と、出力端子１１０と、通信用端子１１１とが配置されている。
【００３１】
入力端子Ａ１は、電力変換部１０１のＤＣ／ＤＣコンバータの入力との間で内部電線Ｌ１が配線され、入力端子Ａ２は、電力変換部１０１のＡＣ／ＤＣコンバータの入力との間で内部電線Ｌ１が配線される。なお、出力端子１１０は、電力変換部１０１の出力（ＤＣ／ＤＣコンバータおよびＡＣ／ＤＣコンバータの各出力）との間で配線され、通信用端子１１１は、コントローラ部１０３の通信用端子との間で配線される。
【００３２】
上記入力端子Ａ１，Ａ２に対する内部電線Ｌ１の配線、および出力端子１１０、通信用端子１１１の内部配線は、電気機器収納箱Ｂの製造業者が行い、内部電線Ｌ１を含む内部配線が完了した後に、電気機器収納箱Ｂが施工現場へ出荷される。この出荷時の電気機器収納箱Ｂにおいて、入力端子Ａ１，Ａ２の内部側接続部Ｘ１は、端子カバー４によって隠蔽されている。なお、図８において、出力端子１１０および通信用端子１１１の内部配線は、端子の周囲に設けたカバーＣによって隠蔽されている。
【００３３】
施工現場では、施工業者が電気機器収納箱Ｂを壁面等に設置した後に、外部電線の配線を行う。入力端子Ａ１は、太陽発電装置、燃料電池発電装置等の分散電源との間で外部電線Ｌ２が配線され、入力端子Ａ２は、商用電源との間で外部電線Ｌ２が配線される。さらに、出力端子１１０は、直流電源で動作する直流機器との間で外部電線Ｌ３が配線される。通信用端子１１１は、コントローラ部１０３による電力制御を監視制御する外部機器（例えば、パーソナルコンピュータや、ＬＡＮを介した管理サーバ等）との間で信号線Ｌ４が接続される。
【００３４】
この施工現場での外部電線Ｌ２の配線作業は、入力端子Ａ１，Ａ２の内部側接続部Ｘ１が端子カバー４によって隠蔽されているため、現場の施工業者が誤って内部電線Ｌ１の接続を変更することを抑制し、誤配線の不具合を低減させることができる。
【符号の説明】
【００３５】
Ａ  端子台
１  端子台本体
２  端子金具
３  端子ねじ
４  端子カバー
Ｘ１  内部側接続部
Ｘ２  外部側接続部
Ｌ１  内部電線
Ｌ２  外部電線
【図１】
2011233361.tif 000003
【図２】
2011233361.tif 000004
【図３】
2011233361.tif 000005
【図４】
2011233361.tif 000006
【図５】
2011233361.tif 000007
【図６】
2011233361.tif 000008
【図７】
2011233361.tif 000009
【図８】
2011233361.tif 000010